(57)【特許請求の範囲】
【請求項１】
測定対象チャネル、前記測定対象チャネルに対応する拡散符号長および前記測定対象チャネルに関する測定データを記録する測定データ記録手段と、
前記測定対象チャネルおよび前記拡散符号長により位置が定められ前記拡散符号長に対応する幅を有する表示領域に、前記測定データを表すグラフを表示する表示手段と、
前記測定データが信号電力である場合の前記グラフを指示するグラフ指示手段と、
を備え、
前記表示手段は、指示された前記グラフが表示されている表示領域の表示態様を変更し、
全ての前記グラフの幅は共通している、
測定データ表示装置。
【請求項２】
請求項１に記載の測定データ表示装置であって、
変更される前記表示態様は前記表示領域から前記グラフを除いた部分の色である測定データ表示装置。
【請求項３】
請求項１に記載の測定データ表示装置であって、
変更される前記表示態様は前記表示領域の輪郭線である測定データ表示装置。
【請求項４】
測定対象チャネル、前記測定対象チャネルに対応する拡散符号長および前記測定対象チャネルに関する測定データを記録する測定データ記録工程と、
前記測定対象チャネルおよび前記拡散符号長により位置が定められ前記拡散符号長に対応する幅を有する表示領域に、前記測定データを表すグラフを表示する表示工程と、
前記測定データが信号電力である場合の前記グラフを指示するグラフ指示工程と、
を備え、
前記表示工程は、指示された前記グラフが表示されている表示領域の表示態様を変更し、
全ての前記グラフの幅は共通している、
測定データ表示方法。
【請求項５】
測定対象チャネル、前記測定対象チャネルに対応する拡散符号長および前記測定対象チャネルに関する測定データを記録する測定データ記録処理と、
前記測定対象チャネルおよび前記拡散符号長により位置が定められ前記拡散符号長に対応する幅を有する表示領域に、前記測定データを表すグラフを表示する表示処理と、
前記測定データが信号電力である場合の前記グラフを指示するグラフ指示処理と、
をコンピュータに実行させるためのプログラムであり、
前記表示処理は、指示された前記グラフが表示されている表示領域の表示態様を変更し、
全ての前記グラフの幅は共通している、
プログラム。
【請求項６】
測定対象チャネル、前記測定対象チャネルに対応する拡散符号長および前記測定対象チャネルに関する測定データを記録する測定データ記録処理と、
前記測定対象チャネルおよび前記拡散符号長により位置が定められ前記拡散符号長に対応する幅を有する表示領域に、前記測定データを表すグラフを表示する表示処理と、
前記測定データが信号電力である場合の前記グラフを指示するグラフ指示処理と、
をコンピュータに実行させるためのプログラムを記録したコンピュータによって読み取り可能な記録媒体であり、
前記表示処理は、指示された前記グラフが表示されている表示領域の表示態様を変更し、
全ての前記グラフの幅は共通している、
記録媒体。
【発明の詳細な説明】
【０００１】
【発明の属する技術分野】
本発明は、CDMA通信方式におけるコードドメインパワーの測定結果の表示に関する。
【０００２】
【従来の技術】
CDMA通信方式におけるコードドメインパワーの測定結果の表示の一例を図１０に示す。
【０００３】
図１０において、縦軸Wは電力を示す。また横軸はチャネルＣＨを示す。図１０の例では、通信方式をcdma2000とし、ウオルシュレングスを「６４」とし、６４チャネルの回線を接続できる状態に設定し、チャネルの０、１、３、５、７、９、１１、１３…６１、６３が信号を発信している様子を示している。
【０００４】
【発明が解決しようとする課題】
しかしながら、ウオルシュレングスを「６４」に固定してＣＤＭＡ信号のコードドメインパワーを表示しているので、異なるウオルシュレングスのコードドメインパワーを見ることができない。現在携帯電話に用いられているＣＤＭＡ信号はウオルシュレングスは４、８、１６、３２、６４、１２８の６種類に切替えられる規格が考えられている。よって、ある特定のウオルシュレングスにより特定される符号階層のコードドメインパワーを見ることしかできないのでは不便である。
【０００５】
このような問題は、通信方式をW-CDMAとした場合も同様である。すなわち、特定のスプレッディング・ファクタにより特定される符号階層のコードドメインパワーを見ることしかできないこととなる。
【０００６】
そこで、本発明は、複数種類の符号階層におけるコードドメインパワー等の測定データを同時に表示することを課題とする。
【０００７】
【課題を解決するための手段】
本発明は、測定対象チャネル、測定対象チャネルに対応する拡散符号長および測定対象チャネルに関する測定データを記録する測定データ記録手段と、測定対象チャネルおよび拡散符号長により位置が定められ拡散符号長に対応する幅を有する表示領域に、一定の幅を有し測定データを表すグラフを表示する表示手段と、を備えるように構成される。
【０００８】
ここでいう、測定データとは、測定対象チャネルに関して測定されたデータ、例えば電力（コードドメインパワー）、雑音成分電力等をいう。
【０００９】
上記のように構成された測定データ表示装置によれば、表示領域が拡散符号長に対応する幅を有する一方で、グラフは拡散符号長にかかわらず一定の幅を有する。よって、表示領域には何も表示されない空間が生じるため、この空間の幅から拡散符号長を読み取ることができる。よって、複数種類の符号階層におけるコードドメインパワー等の測定データを同時に表示しても、どの符号階層のコードドメインパワー等かがわかる。
【００１０】
なお、本発明は、測定データが信号電力である場合のグラフを指示するグラフ指示手段を備え、表示手段は、指示されたグラフが表示されている表示領域の表示態様を変更する、ように構成されるようにしてもよい。
【００１１】
指示されたグラフの表示領域の表示態様が変更されるため、どの符号階層のコードドメインパワー等かがわかりやすい。
【００１２】
なお、本発明は、変更される表示態様は表示領域からグラフを除いた部分の色であるように構成されるようにしてもよい。
【００１３】
なお、本発明は、変更される表示態様は表示領域の輪郭線であるように構成されるようにしてもよい。
【００１４】
本発明は、測定対象チャネル、測定対象チャネルに対応する拡散符号長および測定対象チャネルに関する測定データを記録する測定データ記録工程と、測定対象チャネルおよび拡散符号長により位置が定められ拡散符号長に対応する幅を有する表示領域に、一定の幅を有し測定データを表すグラフを表示する表示工程と、を備えるように構成される。
【００１５】
本発明は、測定対象チャネル、測定対象チャネルに対応する拡散符号長および測定対象チャネルに関する測定データを記録する測定データ記録処理と、測定対象チャネルおよび拡散符号長により位置が定められ拡散符号長に対応する幅を有する表示領域に、一定の幅を有し測定データを表すグラフを表示する表示処理と、をコンピュータに実行させるためのプログラムである。
【００１６】
本発明は、測定対象チャネル、測定対象チャネルに対応する拡散符号長および測定対象チャネルに関する測定データを記録する測定データ記録処理と、測定対象チャネルおよび拡散符号長により位置が定められ拡散符号長に対応する幅を有する表示領域に、一定の幅を有し測定データを表すグラフを表示する表示処理と、をコンピュータに実行させるためのプログラムを記録したコンピュータによって読み取り可能な記録媒体である。
【００１７】
【発明の実施の形態】
以下、本発明の実施形態を図面を参照しながら説明する。
【００１８】
図1は、本発明の実施形態にかかる測定データ表示装置の構成を示すブロック図である。本発明の実施形態にかかる測定データ表示装置は、cdma2000方式の受信信号に対して測定対象チャネル毎の電力測定を行って表示する。
【００１９】
測定データ表示装置は、ローカル発振器１０、混合器１２、バンドパスフィルタ（BPF）１４、アナログ／デジタル（A／D）変換器１６、信号解析部２０および表示部３０を備える。
【００２０】
ローカル発振器１０は、周波数変換に用いられる所定のローカル信号を発生する。混合器１２は、ローカル発振器１０から出力されるローカル信号と、入力されたcdma2000方式の受信信号（ＲＦ：Radio Frequency）とを混合することにより、それらの差分であるアナログの中間周波（ＩＦ：Intermediate Frequency）信号を出力する。このＩＦ信号の周波数は、後段のA／D変換器１６によってデジタルデータへの変換が可能な周波数である。バンドパスフィルタ１４は、混合器１２から出力されたＩＦ信号に対して帯域制限処理を行い、このＩＦ信号に含まれるエリアシング成分を除去する。A／D変換器１６は、後段の信号解析部２０において各種の処理を行うために、入力されるＩＦ信号をデジタルデータに変換する。
【００２１】
信号解析部２０は、A／D変換器１６によってデジタルデータに変換された後のＩＦ信号に基づいて、cdma2000方式を用いた受信信号のチャンネル毎の電力を計算する。この信号解析部２０は、拡散復調部２１、拡散符号発生部２２、電力計算部２３、解析制御部２４を備える。
【００２２】
拡散復調部２１は、拡散符号を用いて拡散変調されている受信信号に対して逆拡散（拡散復調）を行って、送信側における変調前の信号を復元する。拡散符号発生部２２は、拡散復調部２１によって行われる逆拡散処理において用いられる拡散符号を生成して拡散復調部２１に供給する。
【００２３】
電力計算部２３は、拡散復調部２１によって逆拡散処理された後のデータを用いて、測定対象チャネル毎に電力値を計算する。例えば、QPSK変調が用いられる場合を考えると、電力計算部２３は、拡散復調された後の信号の同相成分Ｉと直交成分Qとを分離した後に、それぞれのデータを2乗した値を加算してＩ2＋Q2を求めることにより、測定対象チャネル毎の電力値を計算する。また、電力計算部２３は、拡散符号長および測定対象チャネルも出力する。電力計算部２３の出力が信号解析部２０の出力となる。
【００２４】
なお、電力計算部２３のかわりに、測定対象チャネル毎に雑音成分電力値を計算する手段などの、測定対象チャネル毎にデータを測定する手段を設けてもよい。この場合は電力計算部２３から出力されるデータは、測定対象チャネル毎に測定されたデータとなる。
【００２５】
解析制御部２４は、拡散符号に発生する指示を拡散符号発生部２２に送るとともに、拡散復調処理によって得られたデータを用いた電力計算処理を実行する指示を電力計算部２３に送る。
【００２６】
表示部３０は、信号解析部２０によって計算された電力値（測定対象チャネル毎に測定されたデータ）を所定の形式で画面上に表示する。
【００２７】
図２は、表示部３０の詳細な構成を示すブロック図である。図２に示すように、表示部３０は、表示態様記録部３１０、測定データ記録部３２０、測定データ描画部３３０、グラフ指示部３４０、VRAM（Video Random Access Memory）３５０、CRT（Cathode Ray Tube）（表示手段）３６０を備える。
【００２８】
表示態様記録部３１０は、表示領域の表示態様を記録する。表示態様記録部３１０の記録内容を図３に示す。図３に示すように、表示領域の表示態様には、幅と色とがあり、拡散符号長により定められている。なお、表示領域の幅は、拡散符号長の種類にかかわらず共通の全長Wへの係数として記録されている。例えば、拡散符号長が４の場合、表示領域の幅は（１／４）Wである。拡散符号長と表示領域の幅との関係を図４に示す。なお、W4、W8、…とあるのは、ウオルシュレングス４、８、…を意味し、W4、W8、…の列中の番号０、１、…はチャネル番号を意味する。図４から明らかなように、拡散符号長が４の場合、表示領域の幅は（１／４）Wであり、拡散符号長が８の場合、表示領域の幅は（１／８）Wである。拡散符号長が１６、…の場合も同様である。
【００２９】
また、表示領域の色は、通常は黒（ただし棒グラフの部分を除く）であるが、グラフ指示部３４０によりグラフが指示された場合には図３に示す色になる。例えば、拡散符号長が４の場合、表示領域の色は通常は黒であるが、グラフ指示部３４０によりグラフが指示された場合には茶色になる。
【００３０】
なお、cdma2000方式の場合は拡散符号長（ウオルシュレングス）は256以下である。また、本発明の実施形態はW-CDMA方式にも適用可能であり、この場合は拡散符号長（スプレッディング・ファクタ）は512以下である。しかし、拡散符号長が256、512の場合については図３以降においては図示省略する。なお、これ以降は、最大拡散符号長が128と仮定して説明する。
【００３１】
測定データ記録部３２０は、拡散符号長、測定対象チャネルおよび測定対象チャネルに関する測定データ（電力）を信号解析部２０から受けて記録する。図５に、測定データ記録部３２０の記録内容を示す。図５の例では、拡散符号長および測定対象チャネルに対応する電力[dBm]が記録されている。例えば、拡散符号長4のチャネル3の電力は−11.03[dBm]である。なお、一般的に、信号の電力は大きく、ノイズの電力は小さい。ノイズの電力は、最大の拡散符号長128において表示する。
【００３２】
測定データ描画部３３０は、測定データ記録部３２０から測定データを読み出し、表示態様記録部３１０の記録内容に基づき、描画データをVRAM３５０に書き込む。また、測定データ描画部３３０は、グラフ指示部３４０により指示されたグラフが表示される表示領域の表示態様を変更する。
【００３３】
グラフ指示部３４０は、信号の電力を示すグラフを指示する。グラフ指示部３４０は、例えば、マウス等のポインティングデバイスあるいはタッチパネル等である。
【００３４】
VRAM３５０には、測定データ描画部３３０が出力した描画データが記録される。また、VRAM３５０には、グラフ指示部３４０が指示する部分が記録される。CRT（表示手段）３６０は、VRAM３５０から描画データを読み出して表示する。また、CRT（表示手段）３６０は、グラフ指示部３４０が指示する部分をマーカにより表示する。
【００３５】
CRT３６０の表示内容を図６および図７を参照して説明する。なお、表示態様記録部３１０の記録内容は図３に、測定データ記録部３２０の記録内容は図５に示したものとする。
【００３６】
図６は、グラフ指示部３４０が信号電力のグラフを指示していない場合のCRT３６０の表示内容を示す図である。
【００３７】
図６を参照して、ノイズ部分３６０Ａ、Ｃは拡散符号長128の各チャネルのノイズ電力を示し、信号部分３６０Ｂは拡散符号長32、チャネル10の信号電力を示し、信号部分３６０Ｄは拡散符号長4、チャネル3の信号電力を示す。
【００３８】
ノイズ部分３６０Ａ、Ｃは、拡散符号長128に対応した幅(1／128)Wの棒グラフ３６０Ｌでノイズ電力を示す。信号部分３６０Ｂは、表示領域３６０Ｅに拡散符号長128に対応した幅の棒グラフ３６０Ｊで信号電力を示す。なお、表示領域３６０Ｅは、拡散符号長32に対応した幅(1／32)Wを有する。このため、棒グラフ３６０Ｊとノイズ部分３６０Ｃとの間に間隔３６０Ｇが空く。なお、表示領域３６０Ｅの高さは画面の縦軸の長さ（−100[dB]から0[dB]まで）に相当する。信号部分３６０Ｄは、表示領域３６０Ｆに拡散符号長128に対応した幅(1／128)Wの棒グラフ３６０Ｋで信号電力を示す。なお、表示領域３６０Ｆは、拡散符号長4に対応した幅(1／4)Wを有する。このため、棒グラフ３６０Ｋと画面右端との間に間隔３６０Ｈが空く。なお、表示領域３６０Ｅの高さは画面の縦軸の長さ（−100[dB]から0[dB]まで）に相当する。
【００３９】
また、表示領域３６０Ｅ、Ｆの幅を図３に示したような幅とするかわりに、間隔３６０Ｇ、Ｈを図３に示したような幅としてもよい。例えば、間隔３６０Ｇ、Ｈの幅を(1／32)W、(1／4)Wとしてもよい。この場合、表示領域３６０Ｅ、Ｆの幅は、(1／32)W＋(1／128)W、(1／4)W＋(1／128)Wとなる。表示領域３６０Ｅ、Ｆの幅を図３に示したような幅としても、間隔３６０Ｇ、Ｈを図３に示したような幅としても、表示領域３６０Ｅ、Ｆの幅が拡散符号長に対応することに変わりはない。
【００４０】
なお、マーカ３４０ａはグラフ指示部３４０の動作により画面上を動く。
【００４１】
図７は、グラフ指示部３４０が信号電力のグラフを指示した場合のCRT３６０の表示内容を示す図である。図７（ａ）は、拡散符号長4、チャネル3の信号電力のグラフ３６０Ｋを指示した場合、図７（ｂ）は、拡散符号長32、チャネル10の信号電力のグラフ３６０Ｊを指示した場合を示す。
【００４２】
図７（ａ）を参照して、マーカ３４０ａが、拡散符号長4、チャネル3の信号電力のグラフ３６０Ｋ上に移動されると、表示領域３６０Ｆの内、棒グラフ３６０Ｋを除いた部分の色が茶色に変わる。しかも、表示領域３６０Ｆの輪郭線が太くなる。図７（ｂ）を参照して、マーカ３４０ａが、拡散符号長32、チャネル10の信号電力のグラフ３６０Ｊ上に移動されると、表示領域３６０Ｅの内、棒グラフ３６０Ｊを除いた部分の色が黄色に変わる。しかも、表示領域３６０Ｅの輪郭線が太くなる。
【００４３】
次に、本発明の実施形態の動作を図８のフローチャートを参照して説明する。
まず、ＲＦ信号は混合器１２によりローカル信号と混合されてＩＦ信号となる。ＩＦ信号は、バンドパスフィルタ１４により帯域制限がなされ、A／D変換器１６によりデジタルデータに変換されて、信号解析部２０に入力される。
【００４４】
信号解析部２０に入力されたデータは、拡散復調部２１により復調され、復調されたデータに基づき電力計算部２３が測定対象チャネルごとに電力を計算して、拡散符号長および測定対象チャネルと共に表示部３０の測定データ記録部３２０に出力する。なお、拡散復調部２１が使用する拡散符号は、拡散符号発生部２２により生成される。
【００４５】
測定データ描画部３３０は、測定データ記録部３２０から測定データを読み出し、表示態様記録部３１０の記録内容に基づき、描画データをVRAM３５０に書き込む。VRAM３５０の記録内容は、CRT３６０により読み出され電力が表示される（図６参照）（Ｓ１０）。
【００４６】
電力表示（Ｓ１０）の動作の詳細を図９のフローチャートを参照して説明する。まず、測定データ描画部３３０は、信号の拡散符号長に対応する幅の表示領域を確保する（Ｓ１２）。例えば、拡散符号長が128ならば(1／128)W、4ならば(1／4)Wの幅の表示領域を確保する（図３参照）。ここで、測定データ描画部３３０は、この表示領域に、拡散符号長128に対応した幅（最小幅）の棒グラフを表示する（Ｓ１４）（図６参照）。すなわち、拡散符号長が128であっても4であっても、(1／128)Wの幅の棒グラフを表示する。このため、拡散符号長が128未満の場合には、棒グラフの間に間隔が空く。図６に示す例では、間隔３６０Ｇ、Ｈが空く。そして、測定データ描画部３３０は、最後のチャネルまで表示したか否かを判定し（Ｓ１６）、最後のチャネルまで表示していなければ（Ｓ１６、Ｎｏ）、表示領域の確保（Ｓ１２）に戻る。最後のチャネルまで表示していれば（Ｓ１６、Ｙｅｓ）、図８のＳ２０へ移行する、。
【００４７】
図８に戻り、測定データ描画部３３０は、マーカ３４０ａが信号電力を示すグラフ内にあるか否かを判定する（Ｓ２０）。マーカ３４０ａが信号電力を示すグラフ内になければ（Ｓ２０、Ｎｏ）、マーカ３４０ａの位置判定（Ｓ２０）に戻る。マーカ３４０ａが信号電力を示すグラフ内にあれば（Ｓ２０、Ｙｅｓ）、グラフ指示部３４０により指示されたグラフが表示される表示領域の表示態様を変更する（図７参照）（Ｓ２２）。例えば、表示領域３６０Ｅ（Ｆ）の内、棒グラフ３６０Ｊ（Ｋ）を除いた部分の色が変わる。しかも、表示領域３６０Ｅ（Ｆ）の輪郭線が太くなる。そして、マーカ３４０ａの位置判定（Ｓ２０）に戻る。
【００４８】
本発明の実施形態によれば、表示領域３６０Ｅ、Ｆが拡散符号長に対応する幅（（1／32）W、（1／4）W）を有する一方で、棒グラフ３６０Ｊ、Ｋは拡散符号長にかかわらず一定の幅（（1／128）W）を有する。よって、表示領域３６０Ｅ、Ｆには何も表示されない空間が生じるため、この空間の幅から拡散符号長を読み取ることができる。よって、複数種類の符号階層におけるコードドメインパワー等の測定データを同時に表示しても、どの符号階層のコードドメインパワー等かがわかる。
【００４９】
しかも、信号電力を示す棒グラフ３６０Ｊ、Ｋがマーカ３４０ａにより指示されると表示領域３６０Ｅ、Ｆの表示態様が変更されるため、どの符号階層のコードドメインパワー等かがわかりやすい。例えば、表示領域３６０Ｅ（Ｆ）の内、棒グラフ３６０Ｊ（Ｋ）を除いた部分の色が変わる。しかも、表示領域３６０Ｅ（Ｆ）の輪郭線が太くなる。
【００５０】
ＣＰＵ、ハードディスク、メディア（フロッピーディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、測定データ表示装置を実現できる。
【００５１】
【発明の効果】
本発明によれば、表示領域が拡散符号長に対応する幅を有する一方で、グラフは拡散符号長にかかわらず一定の幅を有する。よって、表示領域には何も表示されない空間が生じるため、この空間の幅から拡散符号長を読み取ることができる。よって、複数種類の符号階層におけるコードドメインパワー等の測定データを同時に表示しても、どの符号階層のコードドメインパワー等かがわかる。
【図面の簡単な説明】
【図１】本発明の実施形態にかかる測定データ表示装置の構成を示すブロック図である。
【図２】表示部３０の詳細な構成を示すブロック図である。
【図３】表示態様記録部３１０の記録内容を示す図である。
【図４】拡散符号長と表示領域の幅との関係を示す図である。
【図５】測定データ記録部３２０の記録内容を示す図である。
【図６】グラフ指示部３４０が信号電力のグラフを指示していない場合のCRT３６０の表示内容を示す図である。
【図７】グラフ指示部３４０が信号電力のグラフを指示した場合のCRT３６０の表示内容を示す図であり、拡散符号長4、チャネル3の信号電力のグラフ３６０Ｋを指示した場合（図７（ａ））、拡散符号長32、チャネル10の信号電力のグラフ３６０Ｊを指示した場合（図７（ｂ））を示す。
【図８】本発明の実施形態の動作を示すフローチャートである。
【図９】電力表示（Ｓ１０）の動作の詳細を示すフローチャートである。
【図１０】従来技術におけるCDMA通信方式におけるコードドメインパワーの測定結果の表示の一例を示す図である。
【符号の説明】
３０  表示部
３１０  表示態様記録部
３２０  測定データ記録部
３３０  測定データ描画部
３４０  グラフ指示部
３４０ａ  マーカ
３５０  VRAM（Video Random Access Memory）
３６０  CRT（Cathode Ray Tube）（表示手段）
３６０Ａ、Ｃ  ノイズ部分
３６０Ｂ、Ｄ  信号部分
３６０Ｅ、Ｆ  表示領域
３６０Ｇ、Ｈ  間隔
３６０Ｊ、Ｋ、Ｌ  棒グラフ
【図１】
0004678995.tif 000002
【図２】
0004678995.tif 000003
【図３】
0004678995.tif 000004
【図４】
0004678995.tif 000005
【図５】
0004678995.tif 000006
【図６】
0004678995.tif 000007
【図７】
0004678995.tif 000008
【図８】
0004678995.tif 000009
【図９】
0004678995.tif 000010
【図１０】
0004678995.tif 000011